(57)【特許請求の範囲】
【請求項１】
揚送筒を周回する搬送ベルトと前記揚送筒に対向して設けられるガイドレールカバーの前面に装着される玉磨き用の研磨ベルトとを対面させてパチンコ玉を磨きながら挟持揚送する玉磨き揚送装置において、
前記研磨ベルトの始端部の玉磨き面及び終端部の非玉磨き面の接続部位に凹側の面テープ部が形成されると共に、使用済みの前記研磨ベルトの終端部の凹側の面テープ部と未使用の前記研磨ベルトの始端部の凹側の面テープ部を、端部両面に凸側の面テープ部が形成される研磨ベルト貼着具を用いて当該研磨ベルト貼着具の一方の貼着面に前記使用済みの研磨ベルトの終端部を貼着し他方の貼着面に前記未使用の研磨ベルトの始端部を貼着すると共に前記使用済みの研磨ベルトの終端部と前記未使用の研磨ベルトの始端部とが側方から見て重複しないように着脱自在に連結し、新旧の前記研磨ベルトを前記搬送ベルトと対面したままの状態の前記ガイドレールカバーの前面に連続的に供給するようにしたことを特徴とする玉磨き揚送装置。
【請求項２】
前記ガイドレールカバーの上下端に回転ローラを設けたことを特徴とする請求項１記載の玉磨き揚送装置。
【発明の詳細な説明】
【０００１】
【発明の属する技術分野】
本発明は、揚送筒を周回する搬送ベルトと前記揚送筒に対向して設けられるガイドレールカバーの前面に装着される玉磨き用の研磨ベルトとを対面させてパチンコ玉を磨きながら挟持揚送する玉磨き揚送装置に関するものである。
【０００２】
【従来の技術】
従来、搬送ベルトと玉磨き用の布ベルトを対面させてパチンコ玉を研磨揚送する玉磨き揚送装置においては、布ベルトは玉磨き揚送装置の背面のガイドレールカバーに装着されるものであるため、使用により布ベルトに汚れが付着してその交換が必要になった場合には、その都度ガイドレールカバーを開閉して交換作業を行うものであった。
【０００３】
【発明が解決しようとする課題】
しかして、布ベルトを交換する場合には、必ずガイドレールカバーを開閉して使用済みの布ベルトを取り外した後に、新しい布ベルトをガイドレールカバーに装着しなければならず、しかも、パチンコ島台の狭い空間で行うものであるので、作業性がよくないという問題点があった。本発明は上記した事情に鑑みなされたものであり、その目的とするところは、容易に布ベルトを交換することができる玉磨き揚送装置を提供することにある。
【０００４】
【課題を解決するための手段】
上記した目的を達成するために、本発明が採用した具体的な解決手段を図面を参照して説明する。図１及び図５、図６に示すように、揚送筒３を周回する搬送ベルト１５と前記揚送筒３に対向して設けられるガイドレールカバー８の前面に装着される玉磨き用の研磨ベルト１１（布ベルト４０Ａ，４０Ｂ）とを対面させてパチンコ玉を磨きながら挟持揚送する玉磨き揚送装置１において、前記布ベルト４０Ａ，４０Ｂの始端部の玉磨き面及び終端部の非玉磨き面の接続部位に凹側の面テープ部４２ａが形成されると共に、使用済みの前記布ベルト４０Ａの終端部の凹側の面テープ部４２ａと未使用の前記布ベルト４０Ｂの始端部の凹側の面テープ部４２ａを、端部両面に凸側の面テープ部４２ｂが形成される布ベルト貼着具４１を用いて当該布ベルト貼着具４１の一方の貼着面に前記使用済みの布ベルト４０Ａの終端部を貼着し他方の貼着面に前記未使用の布ベルト４０Ｂの始端部を貼着すると共に前記使用済みの布ベルト４０Ａの終端部と前記未使用の布ベルト４０Ｂの始端部とが側方から見て重複しないように着脱自在に連結し、新旧の前記布ベルト４０Ａ，４０Ｂを前記搬送ベルト１５と対面したままの状態の前記ガイドレールカバー８の前面に連続的に供給するようにしたことを特徴とするものである。このように構成することにより、玉磨き揚送装置１が駆動されてガイドレールカバー８に装着されている布ベルト４０Ａの終端部付近にまで汚れが付着し、その交換が必要になった場合でも、図５及び図６に示すように、使用済みの布ベルト４０Ａの終端部を布ベルト貼着具４１により未使用の布ベルト４０Ｂの始端部に連結し、布ベルト４０Ａを自動的に又は手動で引っ張るだけで未使用の布ベルト４０Ｂをガイドレールカバー８に装着することができるので、ガイドレールカバー８を開閉して作業を行う必要がなく、新旧の布ベルト４０Ａ，４０Ｂを極めて容易に連結することができると共に、容易に布ベルトを交換することができる。
【０００５】
【０００６】
【０００７】
また、図７に示すように、前記ガイドレールカバー８の上下端に回転ローラ２３を設けたことにより、新旧の布ベルト１１Ａ，１１Ｂをスムーズに装着することができる。
【０００８】
【発明の実施の形態】
以下、図面を参照して、本発明の実施形態について説明する。まず、図１及び図２を参照して、本実施形態に係る玉磨き揚送装置１の概略構成について説明する。図１は、使用済みの布ベルト１１Ａが装着された状態の玉磨き揚送装置１を示す斜視図であり、図２は、未使用の布ベルト１１Ｂが装着された状態の玉磨き揚送装置１を示す斜視図である。
【０００９】
図において、玉磨き揚送装置１は、正方形状に形成された支持台２の上部に角筒状の揚送筒３が垂直状に立設され、揚送筒３の長手方向の外周を、下部に支持されるモータ内蔵プーリ４と調節ナット２０によって締着軸支される上部ローラ（図示しない）との間に掛け渡される革製の搬送ベルト１５が周回するようになっている。また、揚送筒３の内部には、複数の回転ローラ（図示しない）が適宜間隔をおいて上下方向に並んで回転自在に軸支され、回転ローラの一部が揚送筒３の上昇側面から外に突出して、搬送ベルト１５を案内支持している。また、モータ内蔵プーリ４は、詳細には図示しないが、比較的大きな直径の円筒状ローラとして構成され、電流が供給されると円筒状の外周が回転して、搬送ベルト１５を周回駆動するものである。
【００１０】
このモータ内蔵プーリ４の下方には、図示右側に揚送前のパチンコ玉が導入される導入始端樋６が固着され、図示左側に導入されたパチンコ玉を揚送筒３の下端部まで移動させる流入円弧樋５が固着されている。なお、導入始端樋６及び流入円弧樋５の内側には、図示しないが、導入されたパチンコ玉を複数列に整列させる溝が形成されている。また、上記した導入始端樋６及び流入円弧樋５の取付構造は、その一端が僅かに移動し得るように取付板６ａ，５ａにそれぞれ止着され、その他端が前記支持台２に植立される支持ピン２１にスプリング（図示しない）を介して摺動自在に軸支されている。即ち、導入始端樋６の下端及び流入円弧樋５の下端は、支持ピン２１に挿通されて調節ナット２１ａによって抜けないように止着されているが、常に支持ピン２１に介装されるスプリングによって上方に付勢されている。しかして、調節ナット２１ａの締着度合によって搬送ベルト１５と導入始端樋６及び流入円弧樋５との間の微妙な間隔を調整することができ、その間隔を調整することにより、パチンコ玉のスムーズな移動を可能にすることができる。
【００１１】
また、モータ内蔵プーリ４の上部の揚送筒３には、テンションローラ取付金具１６ａ，１７ａ，１８ａが取り付けられており、このテンションローラ取付金具１６，１７ａ，１８ａには、取り付けられている搬送ベルト１５に張力を付与する複数のテンションローラ１６，１７，１８が回転自在に軸支されている。特に、中間のテンションローラ取付金具１７ａにはスプリング（図示しない）が介装されており、その付勢力によって搬送ベルト１５に対して常に一定の張力を与えることができる。ここで、モータ内蔵プーリ４と各テンションローラ１６，１７，１８とはほぼ上下の位置関係にあり、搬送ベルト１５が装着されたときに、モータ内蔵プーリ４は搬送ベルト１５の内側に位置し、下部テンションローラ１８は搬送ベルト１５の外側に、中間テンションローラ１７は搬送ベルト１５の内側に、上部テンションローラ１６は搬送ベルト１５の外側に、それぞれ位置するようになっている。
【００１２】
ところで、揚送筒３の背面側には、ガイドレールカバー８が一側辺を軸支されて開閉自在に取り付けられている。このガイドレールカバー８には、その前面の全長に渡って、搬送ベルト１５と対面して揚送されるパチンコ玉を研磨する布ベルト１１Ａ（図１参照）が周回装着されている。そして、布ベルト１１Ａが装着されたガイドレールカバー８は、カバー係止金具１４によって揚送筒３に対向した状態で固定支持されるようになっている。ガイドレールカバー８の上下端には、ゴム製のローラ２３（図７参照）が回転自在に軸支されており、ガイドレールカバー８に布ベルト１１Ａをスムーズに装着し得るようになっている。なお、通常、ガイドレールカバー８は、使用により汚れが付着した布ベルト１１Ａを交換する際に開閉されるものであるが、本実施形態にかかる玉磨き揚送装置１においては、ガイドレールカバー８を開閉することなく布ベルト１１Ａを交換できる構造となっている。この点については、後述する。
【００１３】
しかして、カバー係止金具１４により揚送筒３に対向してガイドレールカバー８が取り付けられた状態において、導入始端樋６に導入されたパチンコ玉は、流入円弧樋５を経由して、搬送ベルト１５と布ベルト４０とに狭持されて研磨揚送され、揚送筒３の上方に固着されて玉を吐き出し方向に屈曲する上部屈曲樋１９を経由して、排出樋７からはきれいにされたパチンコ玉が上部タンク（図示しない）に排出される。また、布ベルト１１Ａは、その玉磨き能力を発揮させるために、比較的織目の粗い布で構成されている。さらに、ガイドレールカバー８の内側面には、揚送されるパチンコ玉の一部が落ち込むガイドレール溝（図示しない）が複数列区画形成され、パチンコ玉を一列垂直状に揚送するようになっている。
【００１４】
一方、使用により汚れが付着した布ベルト１１Ａは、ガイドレールカバー８の背面側に設置される布ベルト自動巻取機構により自動的に巻き取られるようになっている。この布ベルト自動巻取機構は、使用前のロール状の布ベルト１１Ｂを収納する布ベルト収納箱１２と、使用済の布ベルト１１Ａをロール状に巻き取る巻取装置１０と、布ベルト１１Ａの下部をチャッキングしてその移動を停止する停止装置１３と、布ベルト１１Ａの上部をモータの駆動力により引っ張る引張装置９と、から構成され、ガイドレールカバー８の裏面上部に引張装置９を、裏面下部に停止装置１３を取り付ける一方、パチンコ島台内の玉磨き揚送装置収納部（図示しない）の内側面に巻取装置１０を手前方向に引き出せるように取り付けると共に、玉揚送装置収納部（図示しない）の底面に布ベルト収納箱１２を設置したものである。かかる構成により、玉揚送装置収納部（図示しない）の内側面に取り付けられる取付基板上に設けられるレール上をスライドさせて、巻取装置１０を手前側へ引き出すことができるので、巻取装置１０が邪魔になってガイドレールカバー８が開閉しにくくなるような状態を回避することができ、玉磨き揚送装置１の内部を点検したり掃除したりする際の作業性が低下することがない。
【００１５】
次に、前述したように、本実施形態に係る玉磨き揚送装置１においては、使用済みの布ベルト１１Ａを未使用の布ベルト１１Ｂに交換する際にも、ガイドレールカバー８を開閉することなく作業を行うことができるが、このための構成と作用について、図３、図４及び図７を参照して、以下、説明する。図３は、使用済みの布ベルト１１Ａと未使用の布ベルト１１Ｂが布ベルト連結係止具３０により連結された状態を示す斜視図であり、図４（Ａ）は、使用済みの布ベルト１１Ａと未使用の布ベルト１１Ｂが布ベルト連結係止具３０により連結された状態を示す正面図であり、図４（Ｂ）は、使用済みの布ベルト１１Ａと未使用の布ベルト１１Ｂが布ベルト連結係止具３０により連結された状態を示す側面図であり、図７は、ガイドレールカバー８の下端部の構造を示す拡大断面図である。
【００１６】
図において、使用済みの布ベルト１１Ａの終端部と未使用の布ベルト１１Ｂの始端部が、布ベルト連結部材としての布ベルト連結係止具３０により着脱自在に連結されている。即ち、布ベルト１１Ａ及び布ベルト１１Ｂのそれぞれの端部をその横幅寸法を短くし、その短くなった部分を折り返して縫合部３２で袋を形成するように縫合された係止部としての袋縫部３１に、横長のＣ字状に形成された布ベルト連結係止具３０の係止片３０ａを挿通する。その状態においては、布ベルト１１Ａ及び布ベルト１１Ｂのそれぞれの袋縫部３１が係止片３０ａに連結係止された状態となるので、新旧の布ベルト１１Ａ及び１１Ｂを容易に連結することができる。このとき、布ベルト連結係止具３０の先端部分には鍵状の返し部３０ｂが形成されているため、連結係止された布ベルト１１Ａ，１１Ｂが容易に抜けないようにして連結状態を確実にしている。
【００１７】
上記のような構成により、玉磨き揚送装置１が駆動されてガイドレールカバー８に装着されている布ベルト１１Ａの終端部付近にまで汚れが付着し、その交換が必要になった場合でも、図１に示すように、使用済みの布ベルト１１Ａの終端部を布ベルト連結係止具３０により未使用の布ベルト１１Ｂの始端部に連結することにより、新旧の布ベルト１１Ａ及び１１Ｂがガイドレールカバー８の前面に連続的に供給される。従って、図２に示すように、使用済みの布ベルト１１Ａを前記布ベルト自動巻取機構により巻き取るだけで、未使用の布ベルト１１Ｂをガイドレールカバー８に装着することができるので、ガイドレールカバー８を開閉することなく容易に新旧の布ベルト１１Ａ，１１Ｂを交換することができる。また、図７に示すように、ガイドレールカバー８の上下端にはゴム製のローラ２３が取り付けられると共に、隅角部が干渉しないよう誘導斜面２２が形成されているので、新旧の布ベルト１１Ａ，１１Ｂが連続的に装着される際にも、ガイドレールカバー８の上下端部分で布ベルト連結係止具３０が引っかかることはなく、新旧の布ベルト１１Ａ，１１Ｂをスムーズに装着することができる。なお、本実施形態においては、使用済みの布ベルト１１Ａを布ベルト自動巻取機構により自動的に巻き取るものを示したが、これを手動で行うようにしたものであってもよいし、ロール状の布ベルト１１Ａ，１１Ｂではなく、ガイドレールカバー８よりもやや長く形成されたものであって、１回毎に交換し得る布ベルトであってもよい。
【００１８】
上記した本発明の実施形態に類似する実施形態（以下、「第１実施形態」という）においては、布ベルト連結部材として、布ベルト１１Ａ，１１Ｂの端部に形成された袋縫部３１を連結係止することにより新旧の布ベルト１１Ａ，１１Ｂを連結する布ベルト連結係止具３０を用いるものを示したが、さらに容易に新旧の布ベルト４０Ａ，４０Ｂを連結し得る本発明の実施形態（以下、「第２実施形態という」）として、布ベルト４０Ａ，４０Ｂの端部に面テープを貼着して連結する布ベルト貼着具４１を用いることもできる。この第２実施形態に係る布ベルト貼着具４１の構成と作用について、図５及び図６を参照して、以下、説明する。図５は、使用済みの布ベルト４０Ａと未使用の布ベルト４０Ｂが布ベルト貼着具４１により連結された状態を示す斜視図であり、図６（Ａ）は、使用済みの布ベルト４０Ａと未使用の布ベルト４０Ｂが布ベルト貼着具４１により連結された状態を示す正面図であり、図６（Ｂ）は、使用済みの布ベルト４０Ａと未使用の布ベルト４０Ｂが布ベルト貼着具４１により連結された状態を示す側面図である。
【００１９】
図において、使用済みの布ベルト４０Ａの終端部の非玉磨き面と未使用の布ベルト４０Ｂの始端部の玉磨き面が、布ベルト連結部材としての布ベルト貼着具４１により着脱自在に連結されている。即ち、布ベルト４０Ａ及び布ベルト４０Ｂのそれぞれの端部には、凹側の面テープ部４２ａが形成されており、それに対応して、布ベルト４０Ａ，４０Ｂと同じ幅で形成された布ベルト貼着具４１の上下端部には、凸側の面テープ部４２ｂが形成されている。そして、布ベルト貼着具４１の上端部に形成された面テープ部４２ｂを使用済みの布ベルト４０Ａの終端部の非玉磨き面に形成された面テープ部４２ａに、布ベルト貼着具４１の下端部に形成された面テープ部４２ｂを未使用の布ベルト４０Ｂの始端部の玉磨き面に形成された面テープ部４２ａに、それぞれ重ね合せて貼着することにより、新旧の布ベルト４０Ａ，４０Ｂを極めて容易に連結することができる。また、通常、使用済みとなった布ベルト４０は、洗浄して再使用されるが、布ベルト４０の両端部には共に凹側の面テープ部４２ａが形成されているため、布ベルト４０を再使用する際、その方向に拘らずどちらの端部からでも連結装着することができる。
【００２０】
以上、実施形態に係る玉磨き揚送装置１の構成及び作用について説明してきたが、本実施形態によれば、図１及び図２に示すように、揚送筒３を周回する搬送ベルト１５と前記揚送筒３に対向して設けられるガイドレールカバー８の前面に装着される玉磨き用の布ベルト１１とを対面させてパチンコ玉を磨きながら挟持揚送する玉磨き揚送装置１において、使用済みの前記布ベルト１１Ａの終端部と未使用の前記布ベルト１１Ｂの始端部を布ベルト連結部材３０により着脱自在に連結し、新旧の前記布ベルト１１Ａ，１１Ｂを前記ガイドレールカバー８の前面に連続的に供給するようにしたことにより、玉磨き揚送装置１が駆動されてガイドレールカバー８に装着されている布ベルト１１Ａの終端部付近にまで汚れが付着し、その交換が必要になった場合でも、図１に示すように、使用済みの布ベルト１１Ａの終端部を布ベルト連結部材３０により未使用の布ベルト１１Ｂの始端部に連結し、布ベルト１１Ａを自動的に又は手動で引っ張るだけで未使用の布ベルト１１Ｂをガイドレールカバー８に装着することができるので、ガイドレールカバー８を開閉して作業を行う必要がなく、容易に布ベルトを交換することができる。
【００２１】
また、図３に示すように、前記布ベルト連結部材３０は、前記布ベルト１１Ａ，１１Ｂの端部に形成された係止部３１を連結係止することにより新旧の前記布ベルト１１Ａ，１１Ｂを連結する布ベルト連結係止具３０であることにより、布ベルト１１Ａ，１１Ｂの端部を折り返して袋状に縫合された係止部としての袋縫部３１に、横長のＣ字状に形成された布ベルト連結係止具３０の係止片３０ａを挿通して、新旧の布ベルト１１Ａ，１１Ｂを容易に連結することができる。このとき、布ベルト連結係止具３０の先端部分には鍵状の返し部３０ｂが形成されているため、係止された布ベルト１１Ａ，１１Ｂが容易に抜けないようにして連結状態を確実にしている。
【００２２】
また、図５に示すように、前記布ベルト連結部材４１は、前記布ベルト４０Ａ，４０Ｂの端部に面テープ４２を貼着することにより新旧の前記布ベルト４０Ａ，４０Ｂを連結する布ベルト貼着具４１であることにより、布ベルト４０Ａ，４０Ｂの端部に形成された面テープ部４２ａと布ベルト貼着具４１の端部に形成された面テープ部４２ｂとを貼着して、新旧の布ベルト４０Ａ，４０Ｂを極めて容易に連結することができる。
【００２３】
また、図７に示すように、前記ガイドレールカバー８の上下端に回転ローラ２３を設けたことにより、新旧の布ベルト１１Ａ，１１Ｂをスムーズに装着することができる。
【００２４】
【発明の効果】
以上、説明したところから明らかなように、本発明においては、揚送筒を周回する搬送ベルトと前記揚送筒に対向して設けられるガイドレールカバーの前面に装着される玉磨き用の研磨ベルトとを対面させてパチンコ玉を磨きながら挟持揚送する玉磨き揚送装置において、前記研磨ベルトの始端部の玉磨き面及び終端部の非玉磨き面の接続部位に凹側の面テープ部が形成されると共に、使用済みの前記研磨ベルトの終端部の凹側の面テープ部と未使用の前記研磨ベルトの始端部の凹側の面テープ部を、端部両面に凸側の面テープ部が形成される研磨ベルト貼着具を用いて当該研磨ベルト貼着具の一方の貼着面に前記使用済みの研磨ベルトの終端部を貼着し他方の貼着面に前記未使用の研磨ベルトの始端部を貼着すると共に前記使用済みの研磨ベルトの終端部と前記未使用の研磨ベルトの始端部とが側方から見て重複しないように着脱自在に連結し、新旧の前記研磨ベルトを前記搬送ベルトと対面したままの状態の前記ガイドレールカバーの前面に連続的に供給するようにしたので、研磨ベルトの交換が必要になった場合にも、ガイドレールカバーを開閉することなく、新旧の研磨ベルトを極めて容易に連結することができると共に、容易に交換作業を行うことができる。
【００２５】
【００２６】
【００２７】
また、前記ガイドレールカバーの上下端に回転ローラを設けたことにより、新旧の研磨ベルトをスムーズに装着することができる。
【図面の簡単な説明】
【図１】  使用済みの布ベルトが装着された状態の玉磨き揚送装置を示す斜視図である。
【図２】  未使用の布ベルトが装着された状態の玉磨き揚送装置を示す斜視図である。
【図３】  使用済みの布ベルトと未使用の布ベルトが布ベルト連結係止具により連結された状態を示す斜視図である。
【図４】  （Ａ）は、使用済みの布ベルトと未使用の布ベルトが布ベルト連結係止具により連結された状態を示す正面図であり、（Ｂ）は、使用済みの布ベルトと未使用の布ベルトが布ベルト連結係止具により連結された状態を示す側面図である。
【図５】  使用済みの布ベルトと未使用の布ベルトが布ベルト貼着具により連結された状態を示す斜視図である。
【図６】  （Ａ）は、使用済みの布ベルトと未使用の布ベルトが布ベルト貼着具により連結された状態を示す正面図であり、（Ｂ）は、使用済みの布ベルトと未使用の布ベルトが布ベルト貼着具により連結された状態を示す側面図である。
【図７】  ガイドレールカバー８の下端部の構造を示す拡大断面図である。
【符号の説明】
１  玉磨き揚送装置
３  揚送筒
８  ガイドレールカバー
１１，１１Ａ，１１Ｂ  布ベルト
１５  搬送ベルト
２２  誘導斜面
２３  ローラ
３０  布ベルト連結係止具（布ベルト連結部材）
３０ａ  係止片
３０ｂ  返し部
３１  袋縫部
３２  縫合部
４０，４０Ａ，４０Ｂ  布ベルト
４１  布ベルト貼着具
４２  面テープ
【図１】
0004300592.tif 000002
【図２】
0004300592.tif 000003
【図３】
0004300592.tif 000004
【図４】
0004300592.tif 000005
【図５】
0004300592.tif 000006
【図６】
0004300592.tif 000007
【図７】
0004300592.tif 000008